(57)【要約】【課題】簡素で頑丈な従来の構造を維持したフロア支持脚であって、フロアパネルの上下位置調整幅が大きく、かつ、セキュリティ構造を支障なく採用できるフロア支持脚の提供。【解決手段】  ベースプレート２に支持ボルト３の基端が固定されるとともに支持ボルト３に筒ナット４が螺合されており、筒ナット４は前記の支持ボルト３が螺合する雌ねじ貫通孔１７を軸方向に貫通して有し、台座５は筒ナット４の上端にフロアパネル支持面を水平にして固定されるとともに、中央に前記雌ねじ貫通孔１７に連通し、前記の支持ボルト３が貫通できる挿通孔８が形成されており、さらに、台座５の前記挿通孔８の上方に台座５を下方向へ位置調整するための間隔をとってセキュリティボルト受け部２０が台座５に設けられている。【選択図】図５
2019035248.tif 000002
【特許請求の範囲】
【請求項１】
床スラブ面に設置されるベースプレート、支持ボルト、筒ナット及び上面にフロアパネルを支持する台座を備えたフロア支持脚であって、
ベースプレートに支持ボルトの基端が固定されるとともに支持ボルトに筒ナットが螺合されており、筒ナットは前記支持ボルトが螺合する雌ねじ貫通孔を軸方向に貫通して有し、
台座は筒ナットの上端にフロアパネル支持面を水平にして固定されるとともに、中央に前記雌ねじ貫通孔に連通し、前記支持ボルトが貫通できる挿通孔が形成されており、
さらに、台座の前記挿通孔の上方に台座を下方向へ位置調整するための間隔をとってセキュリティボルト受け部が台座に設けられていることを特徴としたフロア支持脚。
【請求項２】
フロアパネルの上面に載置される押さえ板とこの押さえ板に上方から挿通されて前記セキュリティボルト受け部に螺合されるセキュリティボルトを備えていることを特徴とした請求項１に記載のフロア支持脚。
【発明の詳細な説明】
【技術分野】
【０００１】
本発明は、建物の床スラブ上に敷設されるフロアを支持して床スラブとフロアとの間に空間を確保するフリーアクセスフロアのフロア支持脚に関する。
【背景技術】
【０００２】
オフィスビル等の建物では、室内に複写機、パソコン等の多数の電子機器を配置しており、これらの電子機器の配線を収納するため床スラブにフロアパネルを敷設するフリーアクセスフロアが普及している。フリーアクセスフロアでは、フロアパネルを支持するフロア支持脚を建物の床スラブに設置して、床スラブとフロアパネルとの間に配線を収納する空間を確保することで、フロアの上面に電子機器の配線を露出させることなく、快適なオフィス環境を実現することができる。
【０００３】
なお、建物の床スラブは、特に床面積が大きい場合などに、水平度に誤差が生じやすく中央部と辺縁部とでは４０ｍｍ程度の差（設計値の＋２０ｍｍ、−２０ｍｍ）が生じることがある。このため、通常、フリーアクセスフロアでは、フロアを支持するフロア支持脚にフロアの上下位置を調整する機能を持たせ、フロア面が水平状態に設定されるようにフロア支持脚の高さを調整してフロアパネルを敷設している。
【０００４】
フロア支持脚としては、図１に示す構造が簡素で頑丈なものとして知られている。
このフロア支持脚１は、概略でベースプレート２、支持ボルト３、筒ナット４、台座５を備える。
ベースプレート２は床スラブ６の上面に設置されており、ねじやアンカーや接着によって固定されている場合がある。
支持ボルト３はフロア支持脚１の支柱７となるものであり、ベースプレート２の中央に垂直に立設され、基端が溶接やナット等により固定されている。
【０００５】
筒ナット４は、支持ボルト３に螺合するもので、上端が台座５の下面中央に溶接によって固定されている。
台座５の中央には筒ナット４の雌ねじ貫通孔に連通した挿通孔８が形成されている。
なお、台座５の上面には、台座５に支持させるフロアパネル９の位置を決める位置決め突起１０が設けられると共に、フロアパネル９の下面を支持して振動や衝撃を和らげるクッション１１も貼着されている。
【０００６】
前記従来構造のフロア支持脚１では、筒ナット４を支持ボルト３に対して上下に移動させることでフロアパネル９の上下位置を調整し、フリーフロアの平面（凹凸）を整えている。
すなわち、図２（ロ）に示すように、支持ボルト３の上端が台座５の上面と同じ位置にあるときを標準の高さ〔Ｈ〕とすると、図２（イ）のようにフロアパネル９の位置を上方へ調整するときは、筒ナット４を支持ボルト３に対して上昇させる。上昇によって筒ナット４と支持ボルト３との有効螺合寸法が短くなるので、上方への移動には限度がある。この限度を〔ｈ１〕とすると、床スラブ６からフロアパネル９がもっとも高くなるのは〔Ｈ＋ｈ１〕である。
【０００７】
逆に、フロアパネル９の位置を下方へ調整するときは（図２（ハ））、台座５が支持ボルト３を下方へ移動するので、支持ボルト３の上端が台座５の挿通孔８から突出し、フロアパネル９の隅部下面側に形成される呑み込み空間１３（台座５を下方向へ位置調整するための間隔）に入り込む。呑み込み空間１３は、フロアパネル９の隅部下面側に形成された切欠き１２が寄り集まって構成されるものである。
このため、フロアパネル９の下方移動は、支持ボルト３の上端が前記呑み込み空間１３の天井に衝突するときの突出高さが限度であり、この高さを〔ｈ２〕とすると、フロアパネル９がもっとも低くなるのは〔Ｈ−ｈ２〕である。
【０００８】
一方、前記の構造はフロアパネル９がフロア支持脚１に載置されているだけなので、出入りが自由な共用部ではフロアパネル９を容易に剥がすことができ、不審者によって配線が切断されてしまうなどセキュリティ上の問題が生じる。
このため、フロアパネル９をフロア支持脚１側へねじで固定したセキュリティ構造とすることがある。
図３は、この状態を示したものであり、フロアパネル９の上面側からセキュリティボルト１４を台座５の中央部の表面から裏面に貫通するように設けた雌ねじ孔１５にねじ込み、押さえ座金１６でフロアパネル９を台座５に押し付けて固定している。
なお、ねじ込まれたセキュリティボルト１４の下方には寸法〔ｈ３〕のねじ込み代が残されている。
また、雌ねじ孔１５は支持ボルトよりも直径サイズが小さいセキュリティボルト１４のサイズに合わせた大きさになっているため、支持ボルトは雌ねじ孔１５に貫通することができない。
【０００９】
この場合、図３（ロ）の状態を標準の高さ〔Ｈ〕とすると、図３（イ）のようにフロアパネル９の位置を上方へ調整するときは、筒ナット４を支持ボルト３に対して上昇させ台座５を筒ナット４とともに上昇させるので、セキュリティボルト１４も共に上昇する。一方、筒ナット４と支持ボルト３との有効螺合寸法を確保する必要があるので、筒ナット４の上方への移動には限度があり、この限度を〔ｈ４〕とすると、床スラブ６からフロアパネル９がもっとも高くなるのは〔Ｈ＋ｈ４〕である。
しかし、フロアパネル９の位置を下方へ調整しようとすると、図３（ロ）のように、標準位置ですでに支持ボルト３の上端が台座５に衝突しているので、筒ナット４を下方へ移動させることはできない。
このため、セキュリティボルト１４を使用すると、フロアパネル９の上下位置調整は標準の高さ〔Ｈ〕から上方へのみとなり、低くすることができない。
【００１０】
前記の寸法〔ｈ４〕は支持ボルト３の長さや筒ナット４の長さを変えることで調整できるが、これらは、標準使用に合わせて定めてしまうので、上方への調整はともかく、下方への調整ができず、セキュリティボルト１４を用いるフロア支持脚１の高さ調整が前記一般のものに比べて使用勝手の悪い、汎用性の低いものとなっている。
このため、広いフロアにフリーアクセスフロアを敷設する場合に、一種類の標準支持脚では広い床スラブ６の高低差に対処できない場合がある。
【００１１】
特許文献１は、フリーアクセスフロア用のフロア支持脚の例であり、ベース材７に固定されたねじ支柱８と、ねじ支柱８に螺合されたパイプ材９に固定されたパネル載置板１０とを備え、パイプ材９の上端部には、係合部材１１が取り付けられており、フロアパネル１２の四隅を押さえる押さえ材１３を固定するパネル押さえねじ１４を係合部材１１に押し込むことでフロアパネル１２をパネル載置板１０と押さえ材１３との間に挟持して固定するフロアパネル支持構造が記載されている。ベース材７は基礎床面１６（床スラブの面）に固定される。
また、特許文献２には、床スラブ１１に立設される支持ボルト６と、支持ボルト６に螺合される筒状ナット３と、筒状ナット３に取り付けられるとともに根太７を載置固定する受けプレート１とを備えた床緩衝支持具が記載されている。
【先行技術文献】
【特許文献】
【００１２】
【特許文献１】特開平６−５７９１８号公報
【特許文献２】特許第３７８５０３９号公報
【発明の概要】
【発明が解決しようとする課題】
【００１３】
特許文献１では、雄ねじ部８ｂに対してパイプ材９よりも上部のパネル載置板１０、フロアパネル１２、押さえ材１３とパネル押さえねじ１４及び係合片１１ｂが一体となって上下する構造であるから、パネル載置板１０の高さ調整の範囲は雄ねじ部８ｂの上端とパネル押さえねじ１４の下端との間隔であり、その間に標準高さを定めて、それよりも上方の間隔をパネルの高さを下方へ調整するための空間、下方の間隔をパネルの高さを上方へ調整する空間としなければならない。
雄ねじ部８ｂの上端をパネル載置板１０よりも上方へ突出させる技術的思想は見出せない。
【００１４】
そして、この場合、雄ねじ部８ｂの上端とパネル押さえねじ１４の下端との間隔を大きくして高さ調整の範囲を大きくすると、雄ねじ部８ｂとパイプ材９との有効螺合寸法が少なくなって、フロア支持脚としての安定性と耐荷重性がそこなわれる。
また、パネル載置板１０をパイプ材９の長手方向途中に固定したり、パイプ材９の下部を縮径して内側に雌ねじ部９ｂを形成したり、さらにパイプ材９の上端に係合部材１１を嵌合させて固定しているなど、構造が複雑でコストアップとなる。
なお、特許文献１の構造は、押さえ材１３とパネル押さえねじ１４及び係合片１１ｂによってフロアパネル１２をパネル載置板１０に拘束するが、パネル押さえねじ１４を係合片１１ｂへ係合させる構造は、固定が確実でなくセキュリティ対策として問題を残している。
【００１５】
特許文献２では、支持ボルト６の上端部を受けプレート１より上方に突出させて取付け、突出部を断面コ字形の根太７で覆い、その上に床板４１を取付ける床緩衝支持具１０が記載されている。この床緩衝支持具１０はフロア支持脚の一つであり、受けプレート１の上面に取り付けられた根太７の内側空間の寸法分だけ支持ボルト６の上端を受けプレート１から突出させることが出来る。その分、受けプレート１の位置を低くすることができる。
しかし、特許文献２の床緩衝支持具１０には、フロアパネルの四隅を一つの支持脚に集めてこれらを押さえ板と押さえねじで支持脚側に固定するというセキュリティ構造の技術的思想がない。
【００１６】
そこで、本発明は、簡素で頑丈な従来の構造を維持したフロア支持脚であって、フロアパネルの上下位置調整が可能で調整幅も大きく、かつ、セキュリティ構造を支障なく採用できるフロア支持脚の提供を課題とする。
【課題を解決するための手段】
【００１７】
床スラブ面に設置されるベースプレート、支持ボルト、筒ナット及び上面にフロアパネルを支持する台座を備えたフロア支持脚とする。
ベースプレートに支持ボルトの基端を固定するとともに支持ボルトに筒ナットを螺合させる。
筒ナットは前記の支持ボルトが螺合する雌ねじ貫通孔を軸方向に貫通して有し、支持ボルトを下端から上端を少し越える有効螺合寸法を残した位置まで移動することができる。
台座はフロアパネルを支持する基本的に平らな部材であり、筒ナットの上端にフロアパネル支持面を水平にして固定する。
【００１８】
前記の台座は中央に、前記雌ねじ貫通孔に連通し、支持ボルトが貫通できる貫通孔を設け、さらに、台座の前記貫通孔の上方に台座を下方向へ位置調整するための間隔をとってセキュリティボルト受け部を台座に設ける。
セキュリティボルト受け部は、板状体をコ字状に折り曲げて両側の脚部とこれらの上端をつなぐ上面部とからなる部材とし、両脚部を台座に固定するとともに上面部にセキュリティボルトを螺合する雌ねじを形成した構造とすることがある。
【発明の効果】
【００１９】
本発明は、上記の構成を有し、セキュリティボルト受け部を台座に設けているので、フロアをセキュリティ構造にしても、セキュリティボルトが呑み込み空間を下方へ大きく伸び出して支持ボルトの上端と衝突することがなく、フロアパネルの下面側に形成される呑み込み空間（台座を下方向へ位置調整するための間隔）を台座の位置調整のために有効に利用できる。そのため、簡素な構造で頑丈であるとともに、セキュリティ構造とするときもフロアパネルの上下位置調整を広い範囲で行うことができる。この結果、標準とするフロア支持脚の汎用性が向上する。
【図面の簡単な説明】
【００２０】
【図１】従来汎用されているフロア支持脚の斜視図である。
【図２】従来のフロア支持脚における高さ調整の様子を説明するための図であり、（イ）は上方へ位置調整したとき、（ロ）は標準時の高さ位置、（ハ）は下方へ位置調整したときである。
【図３】従来のフロア支持脚をセキュリティ構造としたときの高さ調整の様子を説明するための図であり、（イ）は上方へ位置調整したとき、（ロ）は標準時の高さ位置のときである。
【図４】本発明によるフロア支持脚を分解した状態を示す斜視図である（セキュリティ構造）。
【図５】本発明によるフロア支持脚を床スラブに設置した状態で示す正面図である（セキュリティ構造、一部断面）。
【発明を実施するための形態】
【００２１】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００２２】
フロア支持脚１（図４，５）は、床スラブ６の上面に設置されるベースプレート２に立設された支持ボルト３と、支持ボルト３に螺合された筒ナット４と、支持ボルト３の上端部に挿通して取り付けられて筒ナット４の上下位置に基づいて上下位置が設定される台座５を備えている。台座５の上面にはゴム製のクッション１１が載置されており、クッション１１の上面にフロアパネル９が載置される。
【００２３】
筒ナット４は、内周面に雌ねじ貫通孔１７を有する（図５）。支持ボルト３は、外周面にねじ山を有する雄ねじである。そして、支持ボルト３に筒ナット４が螺合しているので、筒ナット４を支持ボルト３に対して回転させることで、筒ナット４が台座５とともに上下方向に移動して台座５の上下位置を調整することができる。筒ナット４の内径に合わせて台座５の中心部には円形の挿通孔８が形成されており、前記の雌ねじ貫通孔１７と連通している。筒ナット４の上下方向の移動に伴い支持ボルト３の上端部が台座５の前記挿通孔８を貫通した状態で台座５の上下位置が調整されるようになっている。
【００２４】
筒ナット４の側面には、支持ボルト３の中心軸に向かって貫通する小径のねじ孔１８が穿設されており、ねじ孔１８には、筒ナット４を回転不能とする止めねじ１９が螺合している。止めねじ１９は、六角ボルト状に形成されて先端面が凹形状で杯状に形成されており、止めねじ１９をねじ孔に螺入することで、止めねじ１９の先端面を支持ボルト３の外周面に押し当てて、外周面のねじ山の一部を潰すように変形させる。ねじ山が潰れることで、ねじ山の間の谷部分が埋まるように変形するようになる。ねじ山が部分的に潰れた変形部分では、ねじ孔１８の内側周端の切欠き断面が変形部分の両側に突き当るようになるため、筒ナット４は、支持ボルト３のねじ山に沿っていずれの方向にも回転することができなくなり、回転不能な状態に設定される。
【００２５】
台座５は、金属製の板状体で平面視略八角形状に形成されており（図４）、中心部に支持ボルト３の上端部が貫通できる挿通孔８が穿設されている。台座５の４つの辺部の内側には、切り上げ加工により上方に向かって折り曲げられ、略矩形状に形成された位置決め突起１０が突設されている。４つの位置決め突起１０は、それぞれ台座５の上面に対してほぼ直立するように設けられており、長辺方向が台座５の中心に向かうように設定されている。そして、台座５の中心から等距離に配置されてそれぞれ９０度ずつずれるように等間隔に設定されている。そのため、位置決め突起１０の間に矩形状のフロアパネル９の隅部を挿入してフロアパネル９の辺部を位置決め突起１０に沿うように載置して支持することで、フロアパネル９を容易に位置合せして敷設することができる。
【００２６】
台座５上で互いに突き当たる４枚のフロアパネル９の隅部には、それぞれ切欠き１２が形成されており、切欠き１２が寄り集まって呑み込み空間１３が構成されている。この空間は、台座５を下方向へ位置調整するための間隔を提供するものである。
また、この呑み込み空間１３には、後述するセキュリティボルト受け部２０が配置される（図４）。
【００２７】
フロアパネル９の４つの隅部の上面には段差部２１（図５）が形成されており、押さえ座金１６が嵌め込まれる。さらに、フロアパネル９の４つの隅部の切欠き１２と段差部２１との間には、セキュリティボルト１４を挿入できる切欠き凹部２２が形成されている（図５）。そして、台座５の上面に載置されたクッション１１を介してフロアパネル９が台座５に敷設される。クッション１１の緩衝作用によりフロアパネル９の振動や衝撃が吸収される。
【００２８】
台座５の中心部に設けたセキュリティボルト受け部２０は、この実施例において、矩形状の金属板を略コ字状に折り曲げて両脚部２３，２４と上面部２５を形成し、両脚部２３，２４の基部を台座５に固定してある。上面部２５は台座５の中心部に形成された前記の挿通孔８の上方に配置されている。上面部２５は呑み込み空間１３の天井部分に位置し、支持ボルト３の上端部の上方に、従来とほぼ同等である台座５を下方向へ位置調整するための間隔を提供している。
【００２９】
また、上面部２５には、中心部分に受け雌ねじ２６が穿設されており、フロアパネル９の上面に圧接する固定手段である押さえ座金１６及び押さえ座金１６に挿通されて受け雌ねじ２６に螺着されるセキュリティボルト１４が設けられている。そのため、各フロアパネル９は、台座５上のパネル隅部が台座５の上面に載置されたクッション１１と押さえ座金１６との間に挟持された状態となり、セキュリティボルト１４の締め付けにより押さえ座金１６がフロアパネル９の隅部を圧接して確実に支持固定される。なお、セキュリティボルト１４は工具掛け部が特殊な形をしていて専用の工具でないと操作できない構造となっている。
【００３０】
以上説明した例では、セキュリティボルト受け部２０としてコ字状に折り曲げ形成した板状体を用いているが、フロアパネル９を支持固定するセキュリティ構造を構成するものであればこれ以外の形状の部材を用いてもよく特に限定されない。例えば、十字状に形成された部材を用いて中心部に受け雌ねじ２６を形成したものを用いることもできる。
【００３１】
フリーアクセスフロアを敷設する場合、まず、床スラブ６の上面に格子状に墨取りをしてその交点にフロア支持脚１を配置しベースプレート２を床スラブ６に接着などで固定する。その中から基準となるフロア支持脚１を選定し、その筒ナット４を回転させて台座５の上下位置を調整し、基準位置に設定する。そして、基準としたフロア支持脚１を基準にレーザーレベラー等を用いて他のフロア支持脚１の高さを調整する。
【００３２】
高さの調整は、支持ボルト３に対して筒ナット４を回転させることにより行うが、高くするときは支持ボルト３に対して筒ナット４を伸び出させる。高くできる限度は前記のように、筒ナット４と支持ボルト３との有効螺合寸法が最少となる位置である。また、低くするときは支持ボルト３に対して筒ナット４をねじ込む。この時、ねじ込める限度は、支持ボルト３の上端がセキュリティボルト受け部２０の上面部２５の下面に当接するときの寸法である。したがって、フロアパネル９の上下位置を調整できる量は従来のセキュリティ構造ではないフロア支持脚（図２）とほぼ同じで大きい。
【００３３】
すべてのフロア支持脚１の台座５の上下位置を調整した後、小径のねじ孔１８に螺合されている止めねじ１９を螺入させて支持ボルト３のねじ山を部分的に潰すように変形させ、筒ナット４を回転不能な状態に設定する。そして、矩形状のフロアパネル９の隅部をフロア支持脚１の台座５の位置決め突起１０の間に嵌め込むように載置する。セキュリティ構造を採用しない場合にはこれでフリーアクセスフロアが完成する。一般的には、フロアの上面にはタイルカーペットなどを敷き詰められる。
【００３４】
実施例のように、セキュリティ構造を採用する場合には、さらに、台座５上に載置された４枚のフロアパネル９の隅部が構成する段差部２１に押さえ座金１６を嵌め込み、セキュリティボルト１４を挿着してセキュリティボルト受け部２０の受け雌ねじ２６に螺着して固定する。これによって、フロアパネル９はセキュリティボルト１４を抜き取らない限り剥がすことはできなくなる。
すなわち、本願発明のフロア支持脚１はセキュリティ構造を持たないフリーアクセスフロアの構築に利用できるとともに、同じものをセキュリティ構造を必要とするフリーアクセスフロアの構築にも利用できる。
【００３５】
また、いずれの場合も、フロア支持脚１の台座５の上下位置を調整するのに、その調整可能な量は上下方向でかつ大きいから、フロア面積が大きく、床スラブの平面度に比較的大きな差が存在する場合でも、標準のフロア支持脚１を準備するだけで対応できる範囲が広くなる（汎用性が増す）。特に、セキュリティ構造を必要とするときにもこの利点が損なわれない。
【符号の説明】
【００３６】
１  フロア支持脚
２  ベースプレート
３  支持ボルト
４  筒ナット
５  台座
６  床スラブ
７  支柱
８  挿通孔
９  フロアパネル
１０  位置決め突起
【００３７】
１１  クッション
１２  切欠き
１３  呑み込み空間
１４  セキュリティボルト
１５  雌ねじ孔
１６  押さえ座金
１７  雌ねじ貫通孔
１８  小径のねじ孔
１９  止めねじ
２０  セキュリティボルト受け部
【００３８】
２１  段差部
２２  切欠き凹部
２３  脚部
２４  脚部
２５  上面部
２６  受け雌ねじ
【図１】
2019035248.tif 000003
【図２】
2019035248.tif 000004
【図３】
2019035248.tif 000005
【図４】
2019035248.tif 000006
【図５】
2019035248.tif 000007